(57)【特許請求の範囲】
【請求項１】
一端に商品を受け入れる受け入れ台部を有し、他端に受け入れ台部から移動させた商品を渡す渡し台部を有したカウンタ台と、該カウンタ台の上記商品の移動経路の途中に設けられ操作者が操作するレジスタと、上記カウンタ台の上記レジスタの後流側に設けられ、開口の両側に一対の把持部を有した買い物袋を多数重ねた状態で操作者が上記商品の移動方向に略直交する方向に順次取出し可能に吊下保持するとともに吊下保持した状態で最前位の買い物袋の開口を開いて該買い物袋に商品を収納可能にする買い物袋保持装置とを備えたレジカウンタ装置において、
上記買い物袋保持装置を、先端が操作者側に位置し、基端が取付部材に固定され、上記多数重ねた買い物袋の一対の把持部を夫々支持する一対のアームと、上記アームの取付部材を上記カウンタ台に支持する支持体とを備えて構成し、上記支持体を、操作者側に開放口を有し上記アーム及びアームの取付部材を収納可能なボックス状に形成し、上記アームの取付部材を上記アームが上記支持体内に収納される収納位置及び上記アームが支持体の開放口から突出する突出位置の２位置に移動可能にする移動機構を設けたことを特徴とするレジカウンタ装置。
【請求項２】
上記移動機構を、上記支持体に設けられるレールと、上記アームの取付部材に設けられ上記レール上を走行するローラとを備えて構成したことを特徴とする請求項１記載のレジカウンタ装置。
【請求項３】
上記支持体に、上記アームの取付部材の移動方向に平行かつ水平方向に並列する一対の板状のガイドレールを設け、上記アームの取付部材に上記一対のガイドレール間を移動するとともに該ガイドレールにより水平方向の移動が規制されるガイドローラを設けたことを特徴とする請求項１または２記載のレジカウンタ装置。
【請求項４】
上記支持体に、上記アームの取付部材を解除可能に突出位置に固定するストッパを設けたことを特徴とする請求項１，２または３記載のレジカウンタ装置。
【請求項５】
上記カウンタ台の受け入れ台部を、上記カウンタ台の渡し台部に対して片持ち支持に取り付けたことを特徴とする請求項１，２，３または４記載のレジカウンタ装置。
【請求項６】
上記アーム及び取付部材を左右に並べて設けたことを特徴とする請求項１，２，３，４または５記載のレジカウンタ装置。
【発明の詳細な説明】
【技術分野】
【０００１】
本発明は、例えば、陳列棚に並べられた商品のある店舗等に設けられ、購入したい商品を持ってきた客に、レジスタにより商品の値段の合計を計算し、その商品の代金を客から受け取るとともに、この客に商品を渡すカウンタ台を有したレジカウンタ装置に関し、特に、カウンタ台で、客に商品を買い物袋に袋詰めして渡すようにするレジカウンタ装置に関する。
【背景技術】
【０００２】
従来、この種のレジカウンタ装置としては、例えば、特許文献１（特許第３６４００３９号公報）に記載されたものが知られている。
【０００３】
図１６に示すように、このレジカウンタ装置１００は、商品の受け入れ及び商品の渡しをするカウンタ台１０１と、このカウンタ台１０１に設けた商品のバーコード読み取り機１０２と、バーコード読み取り機１０２の隣に設けられ、開口の両側に一対の把持部を有した買い物袋を多数重ねた状態かつ操作者が商品の移動方向に略直交する方向に順次取出し可能に吊下保持するとともに吊下保持した状態で最前位の買い物袋の開口を開いて買い物袋に商品を収納可能にする買い物袋保持装置１０３とを備えて構成されている。
【０００４】
このレジカウンタ装置１００の買い物袋保持装置１０３に保持される買い物袋は、図１７及び図１８に示すように、この買い物袋保持装置１０３で保持される買い物袋１は、ポリエチレン等の樹脂で形成され、把持部３に後述のアーム１０５が挿通される孔４が設けられている。
【０００５】
買い物袋保持装置１０３は、先端が操作者側に位置し、基端が取付部材１０４に固定され、多数重ねた買い物袋１の一対の把持部３の孔４に挿通され把持部３を夫々支持する一対のアーム１０５を備えて構成されている。一対のアーム１０５は、線材を折曲形成して一体に形成されている。また、一対のアーム１０５の基端間に線材を折曲形成してなるコ字状部１０６が形成されている。
取付部材１０４は、金属製の板材を浅いコ字状に折曲して形成され、両端部の取付面にビス孔１０８を備えてなる。また、この取付部材１０４は、バーコード読み取り機の隣に設けた板体１０７に、ビス孔１０８に挿通されるねじにより固着される。
取付部材１０４に、アーム１０５を取り付ける場合には、取付部材１０４と板体１０７の間に形成された横長長孔１０９にアーム１０５のコ字状部１０６を差し込んで取り付ける。
図中、１１０は、買い物袋１の中央のタブ５に開けられた孔６を支持するフックである。
【０００６】
このレジカウンタ装置１００の買い物袋保持装置１０３に、多数の買い物袋１を保持させるには、多数重ねた買い物袋１の把持部３に夫々設けられた孔４にアーム１０５を挿通し、フック１１０に把持部３の間のタブ５の孔６を掛止する。
このレジカウンタ装置１００で商品を受け入れて、その後、客に商品を渡す場合には、例えば、受け入れた商品のバーコードをバーコード読み取り機で読み取り、アーム１０５に吊下保持された多数の買い物袋１の最前位の買い物袋の開口２を開けて、バーコードの読み取りを終えた商品を袋詰めしていく。そして、商品の値段の金額を客から受け取り、買い物袋に袋詰めした商品を渡す。
【０００７】
【特許文献１】特許第３６４００３９号公報
【発明の開示】
【発明が解決しようとする課題】
【０００８】
ところで、このようなレジカウンタ装置１００にあっては、例えば、商品を包装紙で包装する等、カウンタ台１０１上のスペースを広く使いたい場合があり、この場合、カウンタ台１０１上のスペースの一部がアーム１０５及びアーム１０５に吊下保持された買い物袋１により使われてしまい、カウンタ台１０１上のスペースを有効に使うことができないという問題があった。
【０００９】
特に、客が、買い物籠を自宅にそのまま持って行くことのできる買い物籠のレンタルサービスを受けている場合には、買い物袋に袋詰めしないでレンタル用の買い物籠に入れることになるが、買い物籠をカウンタ台１０１上に置くと、商品をこのレンタル用の買い物籠に入れる際にアーム１０５が邪魔になる。
また、従来のレジカウンタ装置１００は、アーム１０５を取付部材１０４から引き抜けば、アーム１０５を一時的に取り外すこともできるが、しかしながら、アーム１０５の取り付け取り外しの作業が煩雑で、面倒であり、アーム１０５の取り付け作業に手間取ると、次に並んでいる客を待たせてしまうという問題があった。
【００１０】
本発明は上記の問題点に鑑みて為されたもので、カウンタ台上のアームを移動できるようにして、カウンタ台上のスペースを有効に活用できるようにするとともに、アームの移動を容易にして、客を待たせる等の事態を減少させ、操作者による客への対応効率の向上を図ったレジカウンタ装置を提供することを目的とする。
【課題を解決するための手段】
【００１１】
このような目的を達成するための本発明のレジカウンタ装置は、一端に商品を受け入れる受け入れ台部を有し、他端に受け入れ台部から移動させた商品を渡す商品を渡す渡し台部を有したカウンタ台と、該カウンタ台の上記商品の移動経路の途中に設けられ操作者が操作するレジスタと、上記カウンタ台の上記レジスタの後流側に設けられ、開口の両側に一対の把持部を有した買い物袋を多数重ねた状態かつ操作者が上記商品の移動方向に略直交する方向に順次取出し可能に吊下保持するとともに吊下保持した状態で最前位の買い物袋の開口を開いて該買い物袋に商品を収納可能にする買い物袋保持装置とを備えたレジカウンタ装置において、上記買い物袋保持装置を、先端が操作者側に位置し、基端が取付部材に固定され、上記多数重ねた買い物袋の一対の把持部を夫々支持する一対のアームと、上記アームの取付部材を上記カウンタ台に支持する支持体とを備えて構成し、上記支持体を、操作者側に開放口を有し上記アーム及びアームの取付部材を収納可能なボックス上に形成し、上記アームの取付部材を上記アームが上記支持体内に収納される収納位置及び上記アームが支持体の開放口から突出する突出位置の２位置に移動可能にする移動機構を設けた構成としている。
【００１２】
このレジカウンタ装置を用いるには、まず、操作者が、客の持ってきて受け入れ台部に載置した商品を受け入れる。
次に、操作者は、レジスタに、受け入れた商品の値段等のデータを登録していく。
この際、操作者が、レジスタにデータが登録された後の商品を、買い物袋に商品を袋詰めする場合には、予め、買い物袋保持装置のアームを突出位置に位置させておくとともに、最前列の買い物袋を手前に引っ張って、買い物袋の開口を開にしておく。そして、データの登録後の商品を順次この買い物袋に袋詰めしていく。
また、袋詰めの際には、支持体がボックス状に形成されているので、支持体の上側に商品を一時的に載置することができ、袋詰めを効率的に行なうことができる。
【００１３】
一方、例えば、客が、買い物籠をレンタルし、その買い物籠を自宅にそのまま持って行くことのできる買い物籠のレンタルサービスを店舗側から受けている場合には、買い物袋に袋詰めしないでレンタル用の買い物籠に入れていく。
この際、カウンタ台に別のレンタル用の買い物籠を置いて買い物籠に商品を入れる際、買い物袋保持装置のアームがカウンタ台上部に突出していて、邪魔になり易いので、アームの取付部材を押す等して、アームを収納位置に位置させる。
また、客からの求めに応じ、商品を個別に包装紙等で包装する場合には、上記と同様にしてアームを収納位置に位置させてカウンタ台上で商品の包装作業を行なう。
【００１４】
そして、アームが収納位置に位置した状態で、レンタル専用の買い物籠をカウンタ台の上に置き、上記と同様にしてレジスタに商品のデータを登録していき、データの登録後の商品をカウンタ台上の買い物籠に入れていき、あるいは、カウンタ台上で商品を包装する。
この際、アームが収納位置にあり、カウンタ台の上部には無いことから、アームが邪魔にならないので、カウンタ台上のスペースを有効利用することができる。そのため、商品を買い物籠に入れたり商品を包装したりする等の袋詰め以外の作業を容易に行なうことができるようになり、客を待たせる等の事態を減少させることができ、操作者の客への対応効率を向上させることができる。
【００１５】
そして、全ての商品のデータをレジスタに登録した後に、レジスタで算出した商品の値段の合計と比較しておつりを算出し、おつり及び商品を客に渡す。
【００１６】
次の客がレジカウンタ装置にならんでいる場合には、次の客に対応するようにする。
そして、商品を袋詰めする場合であって、買い物袋保持装置のアームが収納位置にある場合には、アームを突出位置に位置させる。
この際、操作者は、アームを引っ張ってアームを突出位置に位置させる。これにより、容易に、アームをカウンタ台上に位置させることができる。これにより、アームの移動が円滑で、アームの移動作業にほとんど時間がかからないので、客を待たせる等の事態を減少させることができ、操作者の客への対応効率を向上させることができる。
即ち、移動機構のアームの突出位置及び収納位置への移動により、アームを容易に出し入れできるようになり、従来のアームの取り付け取り外しに比較してほとんど時間がかからないことから、客を待たせる等の事態を減少させることができ、操作者の客への対応効率を向上させることができる。
【００１７】
また、必要に応じ、上記移動機構を、上記支持体に設けられるレールと、上記アームの取付部材に設けられ上記レール上を走行するローラとを備えて構成している。
アームの移動時には、取付部材に設けたローラがレール上を移動するので、アームの移動を円滑に行なうことができる。
【００１８】
更に、必要に応じ、上記支持体に、上記アームの取付部材の移動方向に平行かつ水平方向に並列する一対のガイド板からなるガイドレールを設け、上記アームの取付部材に上記一対のガイド板間を移動するとともに該ガイド板により水平方向の移動が規制されるガイドローラを設けている。
アームの移動の際に、アームの移動方向に直交する方向への移動があると、ガイドレールにガイドローラが当接してこれを規制する。これにより、ローラがレール上を確実に走行するとともに、ローラや取付部材が支持体等に擦って移動する事態を防止でき、アームの移動を円滑に行なうことができるようになる。
【００１９】
更に、必要に応じ、上記支持体に、上記アームの取付部材を解除可能に突出位置に固定するストッパを設けている。
ストッパにより、アームを突出位置に固定することができ、人の手等で押さえておかなくてもよくなり、買い物袋への商品の収納を容易に行なうことができる。
【００２０】
更にまた、必要に応じ、上記カウンタ台の受け入れ台部を、上記カウンタ台の渡し台部に対して片持ち支持に取り付けた構成としている。
これにより、受け入れ台部の下側のスペースに、例えば、客が持ってきた商品の入った買い物籠等を置くことができるようになり、スペースの有効活用に寄与できる。
更に、必要に応じ、上記アーム及び取付部材を左右に並べて設けている。
これにより、２つの買い物袋の開口を、どちらも開けた状態で袋詰めできる。そのため、袋詰めする商品が多く、２つの買い物袋に袋詰めする場合に、容易に袋詰めできるようになり、それだけ、袋詰めの作業効率を向上させることができる。
【発明の効果】
【００２１】
本発明のレジカウンタ装置によれば、買い物袋保持装置を、先端が操作者側に位置し、基端が取付部材に固定され、多数重ねた買い物袋の一対の把持部を夫々支持する一対のアームと、アームの取付部材をカウンタ台に支持する支持体とを備えて構成したので、アームに支持された買い物袋に、カウンタ台上で商品を容易に買い物袋に収納することができる。
また、支持体を、操作者側に開放口を有しアーム及びアームの取付部材を収納可能なボックス状に形成し、アームの取付部材をアームが支持体内に収納される収納位置及びアームが支持体の開放口から突出する突出位置の２位置に移動可能にする移動機構を設けたので、アームの突出位置及び収納位置への移動により、アームを容易に出し入れできるようになり、従来のアームの取り付け取り外しに比較してほとんど時間がかからないことから、客を待たせる等の事態を減少させることができ、操作者の客への対応効率を向上させることができる。
更に、袋詰めの際には、支持体がボックス状に形成されているので、支持体の上側に商品を一時的に載置することができ、袋詰めを効率的に行なうことができる。
【発明を実施するための最良の形態】
【００２２】
以下、添付図面に基づいて、本発明の実施の形態に係るレジカウンタ装置について詳細に説明する。このレジカウンタ装置は、例えば、商品の陳列棚を有した店舗等に設けられる。
【００２３】
図１乃至図７に示すように、レジカウンタ装置１０は、一端に商品を受け入れる受け入れ台部１１を有し、他端に受け入れ台部１１から移動させた商品を渡す商品を渡す渡し台部１２を有したカウンタ台１３と、カウンタ台１３の上記商品の移動経路の途中に設けられ操作者Ｈが操作するレジスタ３０と、カウンタ台１３のレジスタ３０の後流側に設けられ、開口２の両側に一対の把持部３を有した買い物袋１を多数重ねた状態かつ操作者Ｈが商品の移動方向ｒ１に略直交する方向に順次取出し可能に吊下保持するとともに吊下保持した状態で最前位の買い物袋１の開口２を開いて買い物袋１に商品を収納可能にする買い物袋保持装置４０とを備えた構成としている。
【００２４】
カウンタ台１３を挟んで操作者Ｈの反対側は、カウンタ台１３に商品を持ってきた客の通路Ｒとなっている。
受け入れ台部１１は、商品が載置される載置部１６と、載置部１６を渡し台部１２に片持ち支持する支持部１７とを備えてなる。
載置部１６は、渡し台部１２よりも、平面方向の操作者Ｈ側に僅かに突出している。また、載置部１６は、その長手方向が商品の移動方向ｒ１に沿い、長手方向の長さが買い物籠が２つ並ぶ大きさに形成されている。
【００２５】
更に、載置部１６は、金属製パイプを略矩形状に折曲形成される外枠部材１８と、外枠部材１８の相対向する辺間に架設される架設部材１９とを備えてなる。外枠部材１８の四隅は、円弧状に形成されている。
更にまた、架設部材１９は、外枠部材１８の長手方向に相対向する辺間に架設される金属製の縦パイプ１９ａと、外枠の長手方向に直交する方向に相対向する辺間に架設される横パイプ１９ｂとからなる。縦パイプ１９ａ及び横パイプ１９ｂは、外枠部材１８を形成する金属パイプと同様の金属で形成され、どちらも所定間隔離間して複数列設され、井桁状になっている。また、横パイプ１９ｂは、縦パイプ１９ａを貫通して設けられている。実施の形態においては、外枠部材１８の金属パイプ，縦パイプ１９ａの直径は、２４．５ｍｍ〜２７．２ｍｍのものを使用している。また、横パイプ１９ｂは、縦パイプよりも細いパイプを使用している。
【００２６】
また、載置部１６には、その上面に、金属製の板体２０が載置されて設けられている。この板体２０には、買い物籠を用いないで、単に商品を持ってきた人が、その商品を載置可能になっている。
また、板体２０には、多数のパンチ孔２１が設けられ、操作者Ｈが載置部１６の下側を見通すことができるようになっている。パンチ孔２１は、直径７ｍｍ〜１０ｍｍの大きさに形成されている。
【００２７】
支持部１７は、外枠部材１８の通路Ｒ側の金属パイプ及び架設部材１９の縦パイプ１９ａを下方に延設されてなる延設部材２２で構成されている。詳しくは、外枠部材１８の通路Ｒ側の金属パイプと、中央の縦パイプ１９ａの２つに延設部材２２が延設されている。この延設部材２２は、ボルト及びナット（図示せず）により、渡し台部１２に設けた板状部材２４に結合されている。
載置部１６は支持部１７により片持ち支持されているので、載置部１６の下側にも買い物籠を置くことができる。
また、載置部１６の上側であって、渡し台部１２側には、板状部材の上端を保護する保護部材２３が設けられている。保護部材２３は、金属製のパイプを略矩形状に折曲形成されてなる。
【００２８】
また、渡し台部１２は、長手方向が商品の移動方向ｒ１に沿う矩形板状に形成される載置板２５と、載置板２５を店舗の床に対して支持するとともに商品を包装するための買い物袋１や包装紙等が収納される収納棚２８とを備えてなる。
載置板２５の上面の客が通る通路Ｒ側の辺部には、板状の立設体２６が設けられている。立設体２６は、載置板２５上に載置したものが通路Ｒ側に落下しないように保護するためのものである。また、また、載置板２５には、後述の買い物袋保持装置４０で吊下保持された買い物袋１の下端が入り込んで収納棚２８側に至る貫通孔２７が設けられている。
収納棚２８には、種々の引き出し等が設けられている。引き出しの内部に大きさの異なる種々の買い物袋１，紙袋，包装紙等が収納される。
【００２９】
レジスタ３０は、カウンタ台１３上に設けられるレジスタ本体３１と、レジスタ本体３１に設けられ商品に付与された商品固有のバーコードを読み取って客が購入しようとする商品の値段等のデータを本体に登録するスキャナ３２と、バーコードの付与されていない商品の登録を行なったり、商品の個数を入力したりするためのキーボード３３とを備えてなる。また、図示しないが、レジスタ３０は、スキャナ３２で読み取りできなかったバーコードを読み取るためのハンディスキャナを備えている。
また、レジスタ３０は、例えば、スキャナ３２により商品のバーコードを読み取って客毎に客が購入しようとする商品を登録していき、登録された商品毎に、種々の商品のデータが格納されたサーバから、商品の値段を順次呼び出し、これらの商品の値段の合計を順次算出し、ディスプレイ（図示せず）に表示する。
【００３０】
更に、レジスタ３０よりも商品の移動方向ｒ１後流側であって、カウンタ台１３の近くには、客から受け取った金銭等が収納される金銭収納機３４が設けられている。この金銭収納機３４は、操作者Ｈが客から預かった金銭を入力すると、レジスタ３０で算出した商品の値段の合計と比較しておつりを算出し、レジスタ３０からレジスタ３０で入力された商品のリスト，各商品の個数，商品の値段の合計等のデータが転送されデータのレシートを発行する。また、金銭収納機３４には、操作者Ｈにより客からの代金が収納される。
【００３１】
図７乃至図１４にも示すように、買い物袋保持装置４０は、左右に並べて２つ設けられている。
詳しくは、買い物袋保持装置４０は、先端が操作者Ｈ側に位置し、基端が取付部材４２に固定され、多数重ねた買い物袋１の一対の把持部３を夫々支持する一対のアーム４１と、アーム４１の取付部材４２をカウンタ台１３に支持する支持体５０とを備えて構成されている。
図１８に示すように、この買い物袋保持装置４０で保持される買い物袋１は、ポリエチレン等の樹脂で形成され、把持部３にアーム４１が挿通される孔４が設けられている。また、２つの把持部３の間には、タブ５が設けられている。タブ５は、袋の開口２付近に切り込み７が入れられ、タブ５自体が袋本体８から切り離し可能になっている。更に、タブ５には、孔６が設けられている。
【００３２】
図１乃至図１５に示すように、一対のアーム４１は、断面円形の棒状の金属材を折曲して形成されており、その先端４４部は弧状に形成されている。また、アーム４１の先端４４部は、上側に向かう傾斜がつけられている。一対のアーム４１の基端４５間には、一対のアーム４１に一体に形成された基端部材４６が介装されている。アーム４１は、把持部３の孔４に挿通されて、買い物袋１を保持している。
また、アーム４１間には、買い物袋１のタブ５の孔６が掛止されるフック４７が設けられている。
【００３３】
取付部材４２は、一方の面にアーム４１及びフック４７が溶接により接合される金属製の板状体４８と、矩形箱状の箱状体４９とを備えて構成されている。
板状体４８は、箱状体４９の商品の移動方向ｒ１に直交する方向の操作者Ｈ側の面に、ボルト及びナット（図示せず）を介して箱状体４９に結合されている。
箱状体４９は、金属製の板材を折曲して形成されている。
【００３４】
図１乃至図７，図１１及び図１２に示すように、支持体５０は、操作者Ｈ側に開放口５１を有しアーム４１及びアーム４１の取付部材４２を収納可能なボックス状に形成されている。そして、支持体５０の通路Ｒ側は、立設体２６を乗り越えて、通路Ｒ側に突出している。
また、実施の形態においては、隣り合う買い物袋保持装置４０の支持体５０同士が一体に形成されている。詳しくは、長手方向が商品の移動方向ｒ１に沿う矩形状に形成され商品などを載置可能な天板５２と、この天板５２の商品の移動方向ｒ１両側の辺及び客の通る通路Ｒ側の辺の外周縁部を夫々カウンタ台１３の載置板２５に支持する３つの支持板５３ａ，５３ｂとを備えてなる。天板５２の外周縁には、下側に垂下されてなる垂下体５４が設けられる。この垂下体５４は、支持板５３の上端及び開放口５１の上端を覆っている。通路Ｒ側の支持板５３ａは、下端側が立設体２６の操作者Ｈ側の面に当接するように階段状に折曲形成されている。
【００３５】
また、この買い物袋保持装置４０には、アーム４１の取付部材４２をアーム４１が支持体５０内に収納される収納位置Ｐ１及びアーム４１が支持体５０の開放口５１から突出する突出位置Ｐ２の２位置に移動可能にする移動機構６０が設けられている。
移動機構６０は、支持体５０に設けられるレール６１と、アーム４１の取付部材４２に設けられレール６１上を走行するローラ６２とを備えて構成されている。
レール６１は、商品の移動方向ｒ１両側の支持板５３ｂの内側面と、天板５２の下面中央に商品の移動方向ｒ１両側の支持板５３に平行な面を有した垂下部材５５の両面に設けられている。
また、レール６１には、ローラ６２の側面に当接してローラ６２がレール６１から脱輪するのを防ぐ当接板６３が設けられている。
【００３６】
ローラ６２は、箱状体４９の商品の移動方向ｒ１両側の開口端縁部に夫々設けられるＬ字状部材６４を介して取付部材４２に取り付けられている。Ｌ字状部材６４は、金属製の板材を折曲して形成され、箱状体４９の開口端縁と面一の基端部６５及び基端部６５から立設された先端部６６とを備えてなる。ローラ６２は、先端部６６の上側のアーム４１の移動方向ｒ２前後に一つずつ設けられている。また、Ｌ字状部材６４の折曲部分の内側には、Ｌ字状部材６４の折曲部分を補強するための金属製の板材によりＬ字状に形成された補強部材６４ａが設けられている。
また、箱状体４９の商品の移動方向ｒ１に直交する方向の通路Ｒ側の面には、アーム４１が支持体５０内に収納された収納位置Ｐ１で止めるためのマグネット６９が設けられている。
【００３７】
更に、図６乃至図８，図１１及び図１２に示すように、支持体５０の天板５２裏面には、アーム４１の取付部材４２の移動方向に平行かつ水平方向に並列する一対のガイドレール７１が設けられ、アーム４１の取付部材４２には、一対のガイドレール７１間を移動するとともにこのガイドレール７１により水平方向の移動が規制されるガイドローラ７２が設けられている。
一対のガイドレール７１は、金属製の板材で構成され、天板５２の裏面であって垂下部材５５と両側の支持板５３ｂの間の中央に夫々設けられている。また、一対のガイドレール７１の下端は、互いに離間する方向に折曲されている。
ガイドローラ７２は、箱状体４９の底壁の中央に立設された台状体７３の頂部に、アームの移動方向ｒ２前後に１つずつ設けられている。
【００３８】
また、図１１乃至図１４に示すように、支持体５０に、アーム４１の取付部材４２が突出位置Ｐ２に来るとこの突出位置Ｐ２でアーム４１の取付部材４２を解除可能に固定するストッパ７５を設けている。ストッパ７５は、金属製の断面円形の棒体を折曲形成してなり、棒体の一端を棒体の軸に直交する方向に折曲されてなる操作部７６と、棒体の他端を棒体の軸及び操作部７６の軸に直交する方向に折曲形成されてなる衝止部７７とを備えてなる。そして、このストッパ７５は、ガイドレール７１に設けられた支承板７８により、支持体５０の天板５２に棒体の軸回り方向に回動可能に支承されている。また、ストッパ７５の棒体の操作部７６側は、天板５２の垂下体５４を貫通している。
【００３９】
ストッパ７５の衝止部７７は、台状体７３の頂部に設けられ平面方向に平行な面を有した板状体８０に衝止可能になっている。板状体８０は、アーム４１の移動方向の突出位置Ｐ２側から収納位置Ｐ１側に向けて拡開する斜辺８２と、この斜辺８２の収納位置Ｐ１側に連続しアーム４１の移動方向ｒ２に直交する方向に平行に形成されストッパ７５の突出位置Ｐ２で衝止部７７が当接する当接辺８３を有した三角形状の被衝止部８１を備えて構成されている。
【００４０】
図７及び図１３に示すように、買い物袋保持装置４０に、買い物袋１を保持させる場合には、買い物袋１の把持部３の孔４にアーム４１を通し、フック４７にタブ５の孔６を掛止する。そして、アーム４１から吊下された買い物袋１の下端側を載置板２５に設けられた貫通孔２７に挿入する。
【００４１】
このレジカウンタ装置１０を用いるには、まず、図１に示すように、操作者Ｈが、客が持ってきて受け入れ台部１１の載置部１６に載置した商品を受け入れる。
この際、商品が買い物籠に入っている場合には、受け入れ台部１１に買い物籠ごと載置する一方、客が商品のみ手に持つ等してきた場合には、板体２０に載置する。更に、複数の買い物籠を持ってきた場合には、載置部１６の下の床に買い物籠を置くようにする。載置部１６は、籠が２つおけるので、例えば、次の客も買い物籠を置くことができる。
また、載置部１６の縦パイプ１９ａ及び横パイプ１９ｂは、井桁状になっているので、縦パイプ１９ａ間に買い物籠の角が落ち込もうとしても、買い物籠の角を横パイプ１９ｂが受けるので、買い物籠が横転する事態を防止できる。
【００４２】
また、板体２０が載置部１６の上に設けられてあり、客が、単に商品のみ持ってきた場合であっても、この板体２０に商品を載置するので、外枠部材１６及び縦パイプ１９ａの間から落ちにくくなり、客が安心して商品を一時的に置くことができる。更に、板体２０に、パンチ孔２１が設けられているので、パンチ孔２１の無い板体２０が設けられている場合に比較して、載置部１６の下に買い物籠が置いてあっても、操作者Ｈが、パンチ孔２１から載置部１６の下に置いてある買い物籠を視認でき、この買い物籠を認識することができるようになるので、見落としにくくすることができる。
更に、受け入れ台部１１の載置部１６は、渡し台部１２よりも、平面方向の操作者Ｈ側に僅かに突出し、操作者Ｈに買い物籠の商品が近付けられるので、商品の受け入れを容易に行なうことができる。
【００４３】
次に、操作者Ｈは、受け入れ台部１１に載置した商品をレジスタ３０のスキャナ３２で読み込む等してレジスタ３０に商品の値段を登録していく。
この際、操作者Ｈが、レジスタ３０にデータが登録された後の商品を、買い物袋１に商品を袋詰めする場合には、図１及び図７に示すように、予め、買い物袋保持装置４０のアーム４１を突出位置Ｐ２に位置させておき、図１５に示すように、最前列の買い物袋１を手前に引っ張って、手前側のタブ５を引きちぎり開口２を開にしておく。そして、データの登録後の商品を順次この買い物袋１に袋詰めしていく。
この際、載置板２５には、貫通孔２７が設けられているので、貫通孔２７を設けない場合に比較して、買い物袋１の下端がかさばって載置板２５上のスペースの一部を占拠する事態を防止できる。これにより、商品を買い物袋１に袋詰めし易くすることができる。
更に、袋詰めの際には、支持体５０がボックス状に形成されているので、支持体５０の天板５２に商品を一時的に載置することができ、袋詰めを効率的に行なうことができる。
【００４４】
そして、全ての商品のデータをレジスタ３０に登録した後に、金銭収納機３４に客から預かった金銭を入力し、金銭収納機３４にレジスタ３０で算出した商品の値段の合計と比較しておつりを算出させ、金銭収納機３４からおつりを取出し、おつり及び商品を客に渡す。
【００４５】
一方、例えば、客が、その買い物籠を自宅にそのまま持って行くことのできる買い物籠のレンタルサービスを店舗側から受けている場合には、買い物袋１に袋詰めしないでレンタル用の買い物籠に入れていく。
【００４６】
この際、渡し台部１２の載置板２５に買い物籠を置いて買い物籠に商品を入れるが、買い物袋保持装置４０のアーム４１が載置板２５上部に突出していて、買い物籠に収納する収納作業の邪魔になり易いので、アーム４１を収納位置Ｐ１に位置させる。
この場合、先ず、ストッパ７５の操作部７６を持って、ストッパ７５を回動すると、衝止部７７が当接辺８３に当接しなくなり、アーム４１及びアーム４１の取付部材４２が移動可能になる。そして、図６及び図７に示すように、アーム４１の取付部材４２を押す等して、アーム４１を収納位置Ｐ１に位置させる。
【００４７】
アーム４１の移動は、ローラ６２がレール６１上を走行することにより円滑に行なわれるので、アーム４１の移動作業を容易に行なうことができるようになる。
また、アーム４１の移動時において、アーム４１及びアーム４１の取付部材４２がアーム４１の移動方向に直交する方向に移動すると、ガイドローラ７２がガイドレール７１に当接してこれを規制する。これにより、ローラ６２がレール６１上を確実に走行するとともに、ローラ６２や取付部材４２が支持板５３や垂下部材５５を擦って移動する事態を防止でき、アーム４１の移動を円滑に行なうことができるようになる。
また、簡単な操作で、ストッパ７５の解除を行なうことができ、客を待たせる等の事態を減少させることができ、操作者Ｈの客への対応効率を向上させることができる。
【００４８】
更に、アーム４１の収納位置Ｐ１においては、マグネット６９が通路Ｒ側の支持板５３に自身の磁力により磁着するので、アーム４１が収納位置Ｐ１から突出位置Ｐ２側に移動し難くできる。そのため、アーム４１をいちいち手等で押さえておかなくても、アーム４１が、不用意に突出位置Ｐ２に移動し難くできるので、載置板２５上での作業を容易にすることができる。
【００４９】
アーム４１が収納位置Ｐ１に位置した状態で、レンタル専用の買い物籠を載置板２５の上に置き、上記と同様にしてレジスタ３０に商品のデータを登録していき、データの登録後の商品を載置板２５上の買い物籠に入れていく。
【００５０】
また、客からの求めに応じ、商品を個別に包装紙等で包装する場合には、上記と同様にしてアーム４１を収納位置Ｐ１に位置させて載置板２５上で商品の包装作業を行なう。
この際、アーム４１が収納位置Ｐ１にあり、載置板２５の上部には無いことから、アーム４１が邪魔にならないので、載置板２５上のスペースを有効利用することができる。そのため、商品を買い物籠に入れたり商品を包装したりする等の袋詰め以外の作業を容易に行なうことができるようになり、客を待たせる等の事態を減少させることができ、操作者Ｈの客への対応効率を向上させることができる。
【００５１】
次の客がレジカウンタ装置１０にならんでいる場合には、次の客に対応するようにする。
そして、買い物籠のレンタルサービスを受けていない客に対応する場合等、商品を買い物袋１に袋詰めする場合であって、買い物保持装置４０のアーム４１が収納位置Ｐ１にある場合には、アーム４１を突出位置Ｐ２に位置させる。
この際、操作者Ｈは、アーム４１を引っ張って通路Ｒ側の支持板５３に磁着したマグネット６９を引きはがしてアーム４１を突出位置Ｐ２に位置させる。これにより、容易に、アーム４１を載置板２５上に位置させることができる。また、移動機構６０のレール６１及びローラ６２により、アーム４１の出し入れが円滑に行なわれる。これにより、アーム４１の移動が円滑で、アーム４１の移動作業にほとんど時間がかからないので、客を待たせる等の事態を減少させることができ、操作者Ｈの客への対応効率を向上させることができる。
【００５２】
また、図１４に示すように、このアーム４１の移動過程においては、アーム４１の収納位置Ｐ１（図１４（ａ））から引き抜かれると、ストッパ７５の衝止部７７が斜辺に当接して徐々に衝止部７７が回動させられていき（図１４（ｂ））、被衝止部８１の上側を通り、アーム４１の突出位置Ｐ２で当接辺８３側に至る（図１４（ｃ））。これにより、アーム４１を引っ張るだけで、アーム４１の取付部材４２がストッパ７５により自動的に突出位置Ｐ２に固定させられる。
【００５３】
そして、この次の客についても、上記と同様にしてレジスタ３０に商品のデータを登録し、客から金銭を預かり、おつり等とともに商品を渡す。
【図面の簡単な説明】
【００５４】
【図１】本発明の実施の形態に係るレジカウンタ装置を示す平面図である。
【図２】本発明の実施の形態に係るレジカウンタ装置を操作者側からみた側面図である。
【図３】本発明の実施の形態に係るレジカウンタ装置を商品の移動方向上流側からみた側面図である。
【図４】本発明の実施の形態に係るレジカウンタ装置であって、図１中Ａ−Ａ線断面を示す図である。
【図５】本発明の実施の形態に係るレジカウンタ装置の一部を拡大した側面図である。
【図６】本発明の実施の形態に係るレジカウンタ装置の一部を拡大した平面図である。
【図７】本発明の実施の形態に係るレジカウンタ装置の買い物袋保持装置の一部切り欠き斜視図である。
【図８】本発明の実施の形態に係るレジカウンタ装置のアーム及びアームの取付部材を示す平面図である。
【図９】本発明の実施の形態に係るレジカウンタ装置のアーム及びアームの取付部材を示す側面図である。
【図１０】本発明の実施の形態に係るレジカウンタ装置のアーム及びアームの取付部材を示し、図８中Ｂ−Ｂ線断面を示す図である。
【図１１】本発明の実施の形態に係るレジカウンタ装置の買い物袋保持装置の一部を拡大して示す図である。
【図１２】本発明の実施の形態に係るレジカウンタ装置の買い物袋保持装置の一部を拡大して示し、図６中Ｃ−Ｃ線断面を示す図である。
【図１３】本発明の実施の形態に係るレジカウンタ装置の買い物袋保持装置の一部を拡大して示す図である。
【図１４】本発明の実施の形態に係るレジカウンタ装置の買い物袋保持装置のストッパの作動状態を示す図である。
【図１５】本発明の実施の形態に係るレジカウンタ装置の買い物袋保持装置のアームに買い物袋を保持した状態を示す斜視図である。
【図１６】従来のレジカウンタ装置の一例を示す図である。
【図１７】従来のレジカウンタ装置の買い物袋保持装置の一例を示す図である。
【図１８】買い物袋保持装置に保持される一般的な買い物袋を示す図である。
【符号の説明】
【００５５】
Ｈ  操作者
ｒ１  商品の移動方向
ｒ２  アームの移動方向
１  買い物袋
２  買い物袋の開口
３  把持部
４  把持部の孔
５  タブ
６  タブの孔
７  切り込み
８  袋本体
１０  レジカウンタ装置
１１  受け入れ台部
１２  渡し台部
１３  カウンタ台
１６  載置部
１７  支持部
１８  外枠部材
１９  架設部材
２０  板体
２１  孔
２２  延設部材
２５  載置板
２８  収納棚
２７  貫通孔
３０  レジスタ
４０  買い物袋保持装置
４１  アーム４１
４２  取付部材
４７  フック
４８  板状体
４９  箱状体
５０  支持体
５１  開放口
５２  天板
５３ａ，５３ｂ  支持板
５４  垂下体
６０  移動機構
Ｐ１  収納位置
Ｐ２  突出位置
６１  レール
６２  ローラ
６４  Ｌ字状部材
６９  マグネット
７１  ガイドレール
７２  ガイドローラ
７３  台状体
７５  ストッパ
【図１】
0004619269.tif 000002
【図２】
0004619269.tif 000003
【図３】
0004619269.tif 000004
【図４】
0004619269.tif 000005
【図５】
0004619269.tif 000006
【図６】
0004619269.tif 000007
【図７】
0004619269.tif 000008
【図８】
0004619269.tif 000009
【図９】
0004619269.tif 000010
【図１０】
0004619269.tif 000011
【図１１】
0004619269.tif 000012
【図１２】
0004619269.tif 000013
【図１３】
0004619269.tif 000014
【図１４】
0004619269.tif 000015
【図１５】
0004619269.tif 000016
【図１６】
0004619269.tif 000017
【図１７】
0004619269.tif 000018
【図１８】
0004619269.tif 000019